(57)【特許請求の範囲】
【請求項１】
発振回路を有し、パチンコ台の所定の箇所に人体等の物体が接触すると発振強度が変化することにより、人体等の物体の接触を検出するパチンコ台の接触検知装置において、
前記所定の箇所を含むパチンコ台の静電容量Ｃ３が予め測定されており、前記発振回路の発振強度に係わる回路素子の定数を、前記パチンコ台の静電容量値Ｃ３と、人体等の物体がパチンコ台の所定の箇所に接触した時発生する静電容量値Ｃ１と、この静電容量値Ｃ１に直列接続されることとなり、かつ、その直列接続が前記パチンコ台の静電容量Ｃ３に並列接続されることになるパチンコ台の電源系に影響する静電容量値Ｃ２とを合成した所定の静電容量検知基準値Ｃｄ＝Ｃ３＋Ｃ１・Ｃ２／（Ｃ１＋Ｃ２）で前記発振回路の発振強度が人体等の物体検知となるように設定したことを特徴とするパチンコ台の接触検知装置。
【請求項２】
前記所定の静電容量検知基準値は、前記所定の箇所に人体等の物体が接触すると、発振回路の発振強度が所定レベル以下となる境界値であることを特徴とする請求項１記載のパチンコ台の接触検知装置。
【請求項３】
本体部にハンドルと、このハンドルに人体が接触したことを検知する人体接触検知装置とを有し、前記ハンドルに人体が接触したことを前記人体接触検知装置で検知して動作を開始するパチンコ台の製造方法であって、
前記ハンドルに人体が接触していない状態でパチンコ台の静電容量Ｃ３を測定し、この測定したパチンコ台の静電容量値Ｃ３と、人体等の物体が前記パチンコ台の所定の箇所に接触した時発生する静電容量値Ｃ１と、この静電容量値Ｃ１に直列接続されることとなり、かつ、その直列接続が前記パチンコ台の静電容量Ｃ３に並列接続されることになる前記パチンコ台の電源系に影響する静電容量値Ｃ２との合成静電容量値Ｃｄ＝Ｃ３＋Ｃ１・Ｃ２／（Ｃ１＋Ｃ２）を検知基準にして、前記人体接触検知装置の発振回路の発振強度が人体等の物体検知となるように、発振回路の発振強度に係わる回路素子の定数を選定して、その定数選定した回路素子を前記人体接触検知装置の基板に組み込むようにしたことを特徴とするパチンコ台の製造方法。
【発明の詳細な説明】
【０００１】
【発明の属する技術分野】
この発明は、電動式パチンコ台の人体のハンドルへの接触を検知する接触検知装置及びパチンコ台の製造方法に関する。
【０００２】
【従来の技術】
電動式のパチンコ台では、人がハンドルに接触している場合のみ、玉の発射等の動作を行わせるので、人がハンドルに接触したか否かを検知している。従来、この人の接触検知には、電磁誘導ノイズを増幅したり、自己発振回路で発振を行い、人がハンドルに接触することにより、発振が停止するのをレベル弁別する静電容量レベル検知方式や人の持っている対地との静電容量と回路上との抵抗により、発振回路で発振された信号が遅延することにより生じる位相差を測定する位相差検知方式等が採用されている。
【０００３】
【発明が解決しようとする課題】
上記した従来の人体接触検知は、いずれの方式にしろ、検知動作に対し、人体などのインピーダンス以外に、ハンドルから発振回路を含む検知回路部のインピーダンスが影響し、またパチンコ台毎の静電容量がそれぞれ相違するため、パチンコ台毎の人体接触検知の精度を上げるために、パチンコ台毎の検出感度をボリュウム等で調整する必要があった。
【０００４】
例えば、静電容量式検知方式を例にとると、パチンコ台の静電容量が個々のパチンコ台によって、大、中、小の値域にバラツクとし、中の静電容量であるとして、人体接触検知装置の発振回路の感度を設定すると、これをパチンコ台の静電容量の小なるものに組み込むと感度が大となり、静電容量が大なる人が近づいただけで接触ＯＮの出力を出すことになり、ボリュウムを調整する必要が生じる。また逆に、パチンコ台の静電容量が大なるものに組み込むと感度が小となり、静電容量の小なる人がハンドルに接触してもＯＮしない、つまり検知しないことも生じる。この場合もボリュウムを再調整する必要が生じる。
【０００５】
この発明は上記問題点に着目してなされたものであって、ボリュウムによる再設定などが不要で、それでいて精度良く、人体等の物体の接触を検知し得るパチンコ台の接触検知装置を提供することを目的としている。
【０００６】
【課題を解決するための手段】
この発明のパチンコ台の接触検知装置は、発振回路を有し、パチンコ台の所定の箇所に人体等の物体が接触すると発振強度が変化することにより、人体等の物体の接触を検出するパチンコ台の接触検知装置において、前記所定の箇所を含むパチンコ台の静電容量Ｃ３が予め測定されており、前記発振回路の発振強度に係わる回路素子の定数を、前記パチンコ台の静電容量値Ｃ３と、人体等の物体がパチンコ台の所定の箇所に接触した時発生する静電容量値Ｃ１と、この静電容量値Ｃ１に直列接続されることとなり、かつ、その直列接続が前記パチンコ台の静電容量Ｃ３に並列接続されることになるパチンコ台の電源系に影響する静電容量値Ｃ２とを合成した所定の静電容量検知基準値Ｃｄ＝Ｃ３＋Ｃ１・Ｃ２／（Ｃ１＋Ｃ２）で前記発振回路の発振強度が人体等の物体検知となるように設定している。
【０００７】
このパチンコ台の接触検知装置によれば、パチンコ台の静電容量Ｃ３が予め測定されており、発振回路の発振強度に係わる回路素子の定数を、測定された静電容量値Ｃ３と、人体が所定箇所に接触した時の静電容量値Ｃ１と、この静電容量値Ｃ１に直列接続されることとなり、かつ、その直列接続が前記パチンコ台の静電容量Ｃ３に並列接続されることになるパチンコ台の電源系に影響する静電容量値Ｃ２とを合成した所定の静電容量検知基準値Ｃｄ＝Ｃ３＋Ｃ１・Ｃ２／（Ｃ１＋Ｃ２）で前記発振回路の発振強度が人体等の物体検知となるように設定している。これにより、パチンコ台の設置後、パチンコ台の所定の箇所（ハンドル）に人体等が接触しない間は発振回路は発振している。人体等が接触すると、検知部の合成容量が所定の静電容量検知基準値Ｃｄとなり、インピーダンスが小さくなり、発振強度が所定レベル以下となり、人体の接触が検知される。
【０００８】
また、この発明のパチンコ台の製造方法は、ハンドルに人体が接触していない状態でパチンコ台の静電容量Ｃ３を測定し、この測定したパチンコ台の静電容量値Ｃ３と、人体等の物体がパチンコ台の所定の箇所に接触した時発生する静電容量値Ｃ１と、この静電容量値Ｃ１に直列接続されることとなり、かつ、その直列接続が前記パチンコ台の静電容量Ｃ３に並列接続されることになる前記パチンコ台の電源系に影響する静電容量値Ｃ２との合成静電容量値Ｃｄ＝Ｃ３＋Ｃ１・Ｃ２／（Ｃ１＋Ｃ２）を検知基準にして、前記人体接触検知装置の発振回路の発振強度が人体等の物体検知となるように、発振回路の発振強度に係わる回路素子の定数を選定して、その定数選定した回路素子を前記人体接触検知装置の基板に組み込むようにしている。
【０００９】
【発明の実施の形態】
以下、実施の形態により、この発明をさらに詳細に説明する。先ず、この発明の実施形態パチンコ台の接触検知装置の採用原理について説明する。図１は、一般的なパチンコ台の前面図を示している。図１のパチンコ台１の前面には、ハンドル２が設けられている。このハンドル２は、図２に示すように、パチンコ台１の内部でリード線３により、人の検知回路を搭載した基板４に接続されている。
【００１０】
パチンコ台１のハンドル２に人が接触したことにより、静電容量が変化し、この静電容量の変化によって、人体を検知する場合、パチンコ台１に関し、図３に示すように、人の静電容量Ｃ1 、電源・トランス系に影響する静電容量Ｃ2 、及びパチンコ台１自身の持つ静電容量Ｃ3 を考慮する必要がある。
今、検知装置が静電容量式のタッチセンサ５を使用するものとする。人がパチンコ台１のハンドル２に接触していない場合の等価回路は図４に示す通りとなり、タッチセンサ５の入力側にパチンコ台１自身の静電容量Ｃ3 が接続される態様となる。このパチンコ台１自身の静電容量Ｃ3 は、個々の台により異なる値をとるものである。
【００１１】
人がパチンコ台１のハンドル２に触ると、その等価回路は図５に示すものとなる。すなわち、人体の静電容量Ｃ1 に電源系の静電容量Ｃ2 が直列に接続され、この直列回路がパチンコ台１自身の静電容量Ｃ3 に並列に接続された態様となる。その結果、タッチセンサ５側からハンドル２側を見た合成静電容量は、Ｃd ＝Ｃ3 ＋｛Ｃ1 ・Ｃ2 ／（Ｃ1 ＋Ｃ2 ）｝となり、人体が接触した場合に静電容量が増加する。つまり、インピーダンスが減少する。
【００１２】
したがって、タッチセンサ５をパチンコ台１にセットした場合、ハンドル２に人体が接触しない状態でパチンコ台１の静電容量Ｃ3 を測定する。そして、人の静電容量Ｃ1 と、電源系に影響する静電容量Ｃ2 と、パチンコ台の静電容量Ｃ3 とを合成した静電容量を検知基準容量Ｃd とする。これにより、パチンコ台１の静電容量Ｃ3 が個々に相違しても、測定値Ｃ3 を考慮し、タッチセンサ５の発振回路の定数を検知基準容量Ｃd に設定し、Ｃd −Ｃ3 ＝一定となるようにし、人体接触前の全体静電容量を一定としている。
【００１３】
この発明の一実施形態パチンコ台の接触検知装置は、上記の原理を採用し、ボリュウムによる調整を不要としたものである。
この実施形態パチンコ台の接触検知装置では、先ず図６に示すように、ハンドル２と、回路基板４の入力の一端４Ａと、回路基板４のアースパターンの一端４Ｂ間に静電容量計６を接続し、予めこのパチンコ台の静電容量Ｃ3 を測定しておく。この場合、静電容量計６と端子４Ａ、４Ｂを結ぶリード線はできるだけ短くする。
【００１４】
図７は、この実施形態パチンコ台の接触検知用のタッチセンサの構成を示すブロック図である。このタッチセンサ５は、サージ保護回路１１と、発振回路１２と、検波回路１３と、比較回路１４と、出力回路１５と、定電圧回路１６とを備えている。このタッチセンサ５は、タッチ電極（ハンドル）２に、人体が接触していない時、発振回路１２が自励発振しており、その発振出力が検波回路１３で検波され、比較回路１４で比較されて出力回路１５より接触無しを出力する。タッチセンサ５に人体が接触すると、静電容量がパチンコ台１自身の静電容量Ｃ３よりも増加し、インピーダンスが小となるので、発振回路１２の発振が減衰し、比較回路１４には、比較電圧よりも小さな電圧が入力され、出力回路１５は、人体の接触検知を出力する。
【００１５】
この実施形態接触検知装置のタッチセンサでは、パチンコ台１に組み込んだ状態で、上記したように、先ず静電容量計を用いてパチンコ台１自体の静電容量Ｃ3 を測定する。次に、その測定結果に基づいて発振強度に係わる回路素子の定数を選択する。今、測定した静電容量Ｃ3 が大、中、小の３段階で中の値であると、発振回路１２の回路定数を検知容量中の定数を選択設定し、測定した静電容量Ｃ3 が大であると、発振回路１２の回路定数を検知容量大の定数を選択設定し、逆に測定した静電容量Ｃ3 が小の値であると、発振回路１２の回路定数を検知容量小のものを選択設定し、いずれの場合も、パチンコ台の静電容量値と選択設定した静電容量の合成値が一定の容量検知基準値となるようにする。
【００１６】
この実施形態パチンコ台の接触検知装置では、いかなる静電容量を持つパチンコ台に接触検知装置をセットしても、人体を接触した状態での静電容量は一定の容量検知基準値となるので、人体をハンドルに接触させると、その容量検知基準値では確実に、発振が減衰して、比較回路１４には、比較電圧より小さな電圧が入力されて、人体の接触を検知することができる。また、静電容量が検知基準値を越えれば発振を停止するようにしておくことにより、確実に発振回路の発振が停止し、精度良く、人体の接触を検知することができる。
【００１７】
また、上記実施形態では、パチンコ台自体の測定値を大、中、小の３段階にして、それぞれ対応して発振回路の発振強度に係わる回路素子の定数を選択設定するようにしたが、表等により、さらに細かく選択設定するようにしてもよい。
さらにまた、他の実施形態として、検知装置内にパチンコ台自体の静電容量Ｃ3 を検出する容量検出回路を内蔵し、その検出結果に応じ、発振回路の発振強度に係わる回路素子の定数を自動的に選択設定し得るようにしてもよい。
【００１８】
【発明の効果】
この発明によれば、所定の箇所を含むパチンコ台の静電容量が予め測定されており、発振回路の発振強度に係わる回路素子の定数を、パチンコ台の静電容量値と、人体がパチンコ台の所定の箇所に接触した時の静電容量値と電源系に影響する静電容量値とを合成した所定の静電容量検知基準値で人体等の物体検知となるように設定するので、パチンコ台が個別に静電容量が異なる場合でも、人体接触した状態での静電容量は一定の検知基準値なので、人体が接触すると、発振回路の発振が所定レベル以下となるので、人体接触を確実に検知できる。しかも、調整用のボリュウムは不要となる。
【図面の簡単な説明】
【図１】一般的なパチンコ台の前面を示す概略図である。
【図２】同実施形態パチンコ台のハンドルと人の検知回路を搭載した基板との接続を示す図である。
【図３】同実施形態パチンコ台で人体検知に影響する静電容量を説明するための図である。
【図４】この発明の一実施形態パチンコ台の接触検知装置の採用原理を説明するためのハンドルへの人体非接触時の等価回路を示す図である。
【図５】同採用原理を説明するためのハンドルへの人体の接触時の等価回路を示す図である。
【図６】この発明の一実施形態パチンコ台の接触検知装置のパチンコ台自身の静電容量の測定を説明する図である。
【図７】同実施形態パチンコ台の接触検知装置のタッチセンサの構成を示すブロック図である。
【符号の説明】
１      パチンコ台
２      ハンドル
５      タッチセンサ（人体接触検知装置）
１２    発振回路
Ｃ1     人体の静電容量
Ｃ2     電源系の静電容量
Ｃ3     パチンコ台の静電容量
【図１】
0004514850.tif 000002
【図２】
0004514850.tif 000003
【図３】
0004514850.tif 000004
【図４】
0004514850.tif 000005
【図５】
0004514850.tif 000006
【図６】
0004514850.tif 000007
【図７】
0004514850.tif 000008